(57)【要約】スタンド（１）を備えた靴下を装着する装置が記載され、このスタンドは、上側端部にハンドル（１１）を備えた２つの長手桁（２）、及び長手桁（２）の下側端部の間に靴下を収容するためのＵ形の緊張金具（３）を有する。有利な構造条件を提供するために、次のことが提案される。すなわち長手桁（２）に剛体的に結合された緊張金具（３）に、締付け装置が付属しており、この締付け装置が、閉鎖ばね（８）の締付け力に抗して長手桁（２）に沿って可動の２つの操作棒（４）からなり、これらの操作棒が、緊張金具（３）の上において、緊張金具（３）と共同作用する締付け金具（５）によって結合されている。
2004520921.tif 000002
【特許請求の範囲】
【請求項１】
上側端部にハンドルを備えた２つの長手桁（２）からなるスタンド（１）を有し、かつ長手桁（２）の下側端部の間に靴下を収容するためのＵ形の緊張金具（５）を有する、靴下を装着する装置において、緊張金具（５）が、２つの締付け部分から、すなわち下側緊張金具（５）及び下側緊張金具（５）と共同作用する上側締付け金具（３）からなる締付け装置の部分であり、かつ一方の締付け部分が、両方の長手桁（２）を、かつ両方の締付け部分のうち他方が、ばね力に抗して長手桁（２）に沿って可動の２つの操作棒（４）を、互いに結合していることを特徴とする、靴下を装着する装置。
【請求項２】
中空の長手桁（２）内に可動に支持された操作棒（４）が、長手桁（２）を越えて突出したその下側の端部の間に、緊張金具（５）を支持していることを特徴とする、請求項１に記載の装置。
【請求項３】
長手桁（２）及び操作棒が、Ｕ形の緊張金具（５）の開口から離れた方の側に、締付け装置を操作するために対になってハンドルに所属する横向きに整列されたつかみ部分（１０，１１）を備えていることを特徴とする、請求項１又は２に記載の装置。
【請求項４】
操作棒（４）が閉鎖ばね（８）によって作用を受け、これらの閉鎖ばねが、長手桁（２）の上側端部を越えて突出した操作棒（４）の端部区間（９）を囲んでおり、かつ長手桁（２）の端面に支持されていることを特徴とする、請求項２又は３に記載の装置。
【請求項５】
締付け装置が、係止装置（１２）を介してその開き位置においてロック可能であり、この係止装置が、長手桁（２）上に支持された弾性フック（１３）からなり、これらのフックが、操作棒（４）の係止切り欠き（１４）内に噛み合っていることを特徴とする、請求項４に記載の装置。
【請求項６】
操作棒（４）が開きばねによって作用を受けており、かつ操作棒（４）に所属のつかみ部分（１１）が、長手桁（２）のつかみ部分（１０）の下に配置されていることを特徴とする、請求項２又は３に記載の装置。
【請求項７】
両方の長手桁（２）が、締付け金具（３）の上に間隔を置いてかつこれに対して対向して、Ｕ形の結合金具（１６）を支持し、この結合金具の中央に、靴下のための脱がせ補助具として下方に向けられた連行体（１７）が設けられていることを特徴とする、請求項１ないし６の１つに記載の装置。
【請求項８】
両方の金具脚を互いに結合する橋絡片の範囲において緊張金具（５）又は締付け金具（３）に、靴下のための脱がせ補助具として下方に向けられた連行体（１７）が設けられていることを特徴とする、請求項１ないし６の１つに記載の装置。
【請求項９】
緊張金具（５）及び締付け金具（３）が、金具開口を有する長手桁（２）及び操作棒（４）に対して上方に傾斜して延びていることを特徴とする、請求項１ないし８の１つに記載の装置。
【発明の詳細な説明】
【技術分野】
【０００１】
本発明は、上側端部にハンドルを備えた２つの長手桁からなるスタンドを有し、かつ長手桁の下側端部の間に靴下を収容するためのＵ形の緊張金具を有する、靴下を装着する装置に関する。
【背景技術】
【０００２】
その運動について妨害される人間のためにソックス又はストッキングの形の靴下の装着を容易にするために、種々の構成の装着補助具が提案され、これらの装着補助具は、緊張フレームによって靴下を開くことに基づいているので、緊張フレームに噛み合ったハンドルによって開かれた靴下は、足を越えて引っ張ることができる。そのためにはしご形のスタンドを設け、このスタンドの下側端部が靴下を収容するために緊張リングを有することが公知である（ドイツ連邦共和国特許出願公開第１９８３７９２４号明細書）。ただし靴下を装着する際に緊張リングを通して足を案内しなければならないことは、このような閉じた緊張リングにおいて不利であり、このことは、靴下の装着後に再び足を緊張リングから引出さなければならないだけになおさらのこと、取扱いを困難にする。類似の欠点は、別の公知の装着補助具においても生じ（ドイツ連邦共和国特許出願公開第１９８０３５０３号明細書）、これらにおいて靴下を収容する緊張フレームは、２つのフレーム部分からなり、これらのフレーム部分は、靴下をかぶせた後にこれを開くために互いに離れるように動かされる。この場合にも、足は、フレーム部分の間に挿入しかつ引出さなければならない。
【０００３】
靴下のためにＵ形緊張金具を使用すれば（米国特許第５７０６９８８号明細書）、一層良好な取扱い条件が生じるので、靴下を装着しかつ緊張金具から靴下を外した後に、足は装着補助具により釈放される。しかしながら緊張金具のみを介して結合された２つの長手桁とこのＵ形の緊張金具の関節状の結合は、この装着補助具の取扱いを困難にする。このことを度外視しても、緊張金具に設けられ外方に傾斜した係止歯は、装着の際に靴下の相応する引っ張り負荷が生じたとき、緊張金具から外すことから靴下をていねいに保護するために不適当である。
【０００４】
装着補助具のＵ形保持部において靴下を確実に広げることを可能にするために、その開口の範囲において２つの側部脚と１つのかかと片との間に広げられた靴下を差込み尖端によって固定保持し、これらの差込み尖端を側部脚に揺動可能に支持し、かつロープけん引を介して操作可能にし、このロープけん引が底部スタンドから突出したつかみ管内において操作レバーに導かれることは、さらに公知である（ドイツ連邦共和国特許出願公開第１９８３０２７７号明細書）。構造的な費用の他に、靴下のゴムバンドの範囲に差込まれる尖端によって、靴下が、装着補助具の少なくとも一層長い利用の後に傷付けられるということは、この公知の構造において不利である。差込み尖端を緊張レバーに置き換え、これらの緊張レバーが側部脚における切り欠き内に靴下を引込む場合、これについて何も変化していない。
【０００５】
最後に装着すべき靴下を締付け装置の緊張金具と締付け金具との間に固定保持することが公知であり（米国特許第５０５０７８３号明細書）、その際、緊張金具は、中空のつかみ棒の中央に取付けられているが、一方締付け金具は、つかみ棒内において可動の操作棒によって支持されており、この操作棒は、開きばねを介してつかみ棒の端面に支持されている。この構造によれば、靴下の締付けのために操作棒は、つかみ棒を越えて突出したその端部に配置されたつかみ部分を介して、ばね力に抗してつかみ棒内に押込まれ、かつこの締付け位置において保持されなければならず、このことは、このような装着補助具の取扱いをかなり困難にし、とくにつかみ棒が座った際に折り曲げられる脚の後に通さなければならないので、かかと範囲に延びたつかみ棒が、靴下の装着を著しく妨害するということを考慮すれば、困難にする。
【発明の開示】
【発明が解決しようとする課題】
【０００６】
したがって本発明の課題は、簡単な取扱いで、靴下に対する損傷の危険なく、足の上に靴下を確実に装着することを保証できるように、簡単な構造的な手段によって初めに述べたような靴下を装着する装置を構成することにある。
【課題を解決するための手段】
【０００７】
本発明は、設定された課題を次のようにして解決する。すなわち緊張金具が、２つの締付け部分から、すなわち下側緊張金具及び下側緊張金具と共同作用する上側締付け金具からなる締付け装置の部分であり、かつ一方の締付け部分が、両方の長手桁を、かつ両方の締付け部分のうち他方が、ばね力に抗して長手桁に沿って可動の２つの操作棒を、互いに結合している。
【０００８】
締付け装置の両方の締付け部分のうちの一方によって両方の長手桁を剛体的に結合することによって、靴下を収容するためにＵ形の緊張金具との組合せにおいて、簡単かつ丈夫な構造が達成されるだけでなく、有利な取扱いも保証される。なぜなら座った際に折り曲げられる脚の両側に通される長手桁を介して、装着過程の間に締付け装置に収容される靴下のかなりの程度まで妨害されない運動が可能になるからである。締付け装置は、長手桁に沿って案内される操作棒を介して操作され、これらの操作棒の間に第２の締付け部分が保持されるので、締付け装置のための操作ドライブによって取扱いを妨害するすることを恐れる必要なく、良好な締付け条件が、比較的わずかな力消費で達成できる。
【０００９】
緊張金具上に靴下を簡単に装着するために、緊張金具と共同作用する締付け金具を緊張金具の上に配置することが必要である。この状況は、次のようにして構造的に簡単に考慮することができる。すなわち中空の長手桁内に可動に支持された操作棒が、長手桁を越えて突出したその下側の端部の間に、緊張金具を支持しており、このようにして長手桁は、締付け金具を介して結合される。
【００１０】
操作棒を介した締付け装置の操作は、長手桁及び操作棒が、Ｕ形の緊張金具の開口から離れた方の側に、締付け装置を操作するために対になってハンドルに所属する横向きに整列されたつかみ部分を備えている場合、構造的に有利に解決することができる。これらのつかみ部分は、操作棒に作用するばねの力に抗して互いに調節されるだけでよく、このことは、ハンドルへのつかみ部分の対になった所属のため、かなりの程度まで自然な取扱いによって行なうことができる。
【００１１】
操作棒のばね作用は、閉鎖方向に又は開き方向に行なうことができる。閉鎖ばねを使用する際、閉鎖ばねが、長手桁の上側端部を越えて突出した操作棒の端部区間を囲んでおり、かつ長手桁の端面に支持されていると、簡単な構造状態が生じる。下から緊張金具上に靴下を広げることを妨害しないようにするために、緊張金具への靴下の締付けは、下から行なわなければならないので、緊張金具における靴下の締付けは次のようにして達成される。すなわち閉鎖ばねは、操作棒を長手桁に沿って上方へ動かすので、広げられた靴下は、緊張金具と締付け金具との間に固定締付けされる。この締付け位置においてハンドルを介して、靴下の装着に必要な張力を長手桁に及ぼすことができる。なぜならこの張力は、とくに長手桁に所属の下側のつかみ部分に作用するからである。靴下を装着した後に、閉鎖ばねの力に抗してつかみ部分を互いに対向して動かすことによって、靴下の締付けが解除されると、靴下は釈放される。この時スタンドは、脚によって邪魔にならないように離すことができる。
【００１２】
靴下を閉鎖位置にばね負荷を受ける締付け装置によって邪魔にならないように緊張金具を越えて引っ張ることができるようにするために、締付け装置は、開き位置においてロックすることができる。そのために長手桁上に支持された弾性フックからなる係止装置が設けられており、これらのフックは、操作棒の係止切り欠き内に噛み合っている。
【００１３】
操作棒が開きばねによって作用を受ける場合、ハンドルを介して引っ張り負荷を加えた際に締付け装置が自動的に閉じるようにするために、操作棒に所属のつかみ部分は、長手桁のつかみ部分の下に配置されるようにする。開きばねを介した締付け装置の自動的な開きは、開き位置のための係止装置の配置を節約する。
【００１４】
スタンドを介して装着補助具を与えるだけでなく、靴下の脱ぎも支援できるようにするために、両方の長手桁は、締付け金具の上に間隔を置いてかつこれに対して対向して、Ｕ形の結合金具を支持し、この結合金具の中央に、靴下のための脱がせ補助具として下方に向けられた連行体が設けられている。この追加的な結合金具は、装着の際にすねの側面にあるようになり、かつ前方へのスタンドの自由な運動を可能にするので、靴下の装着を妨げない。靴下を脱ぐために、連行体は、それからかかとを越えて靴下を足からはぎ取るために、靴下内にふくらはぎ側に挿入することができる。脱がせ補助具を提供する別の可能性は、次のようにして得られる。すなわち両方の金具脚を互いに結合する橋絡片の範囲において緊張金具又は締付け金具に、靴下のための脱がせ補助具として下方に向けられた連行体が設けられている。すねの長手方向に延びたこの連行体は、すねに沿ったその整列のために足の上に靴下を装着することを妨害しない。
【００１５】
足に対して緊張金具を有利に整列することが達成できるようにするために、緊張金具及び締付け金具は、金具開口を有する長手桁及び操作棒に対して上方に傾斜して延びており、それにより靴下を装着する際に、すねから突出した足位置が考慮される。
【００１６】
本発明の対象を図面に例として図示する。
【発明を実施する最良の形態】
【００１７】
図１及び２による靴下を装着する装置は、スタンド１を有し、このスタンドは、２つの側部の長手桁２を形成しており、これらの長手桁は、互いにＵ形の締付け金具３によって互いに剛体的に結合されている。これらの長手桁２に沿って、操作棒４は、長手方向に可動に支持されており、これらの操作棒４は、緊張金具５を介して結合されている。緊張金具５は、締付け金具３とともに締付け装置を形成しており、その際、長手桁４の範囲において一方において締付け金具３のかつ他方において締付け棒７の弾性的な支持台６を介して、締付けジョーが得られ、これらの締付けジョーは、緊張金具５を越えて引出された靴下を緊張金具５に固定締付けする。この締付けは、閉鎖ばね８の締付け力によって達成され、これらの閉鎖ばねは、長手桁２を越えて突出した操作棒４の端部区間９を囲んでおり、かつ端面において長手桁２に支持されている。この長手桁２は、本実施例において四角管として形成されており、これらの四角管は、操作棒４を収容している。
【００１８】
Ｕ形の緊張金具５の開き側から離れた方のスタンド１の側において、長手桁２及び操作棒４の上側端部に、ハンドルとしてまとめられたつかみ部分１０及び１１が設けられており、これらのつかみ部分は、スタンド１を案内するためだけでなく、閉鎖ばね８の締付け力に抗して締付け装置を開くためにも使われる。そのために両方のハンドルのそれぞれ手によって囲まれたつかみ部分１０及び１１を互いに引っ張るだけでよいので、操作棒４の突出した端部区間９は、中空の長手桁２内に押込まれ、このことは、締付け金具３及び締付け棒７の締付けジョーから緊張金具５を外すことに至る。
【００１９】
緊張金具５上に靴下を妨害なく広げるため、締付け装置の開き位置を保証するために、係止装置１２が設けられており、この係止装置は、長手桁２上に支持されたそれぞれ１つの弾性フック１３からなり、このフックは、所属の操作棒４の係止切り欠き１４内に噛み合っており、したがって長手桁２に対して操作棒４を、締付け装置の開き位置にロックする。この係止位置を外すために、ロック解除レバー１５が使われ、このロック解除レバーは、長手桁２のためのつかみ部分１０の下のつかみ範囲においてここに支持されており、かつその揺動の際に、弾性フック１３を操作棒４の係止切り欠き１４から引出し、このことは、閉鎖ばね８にしたがって締付け装置の閉鎖に結合されている。緊張金具５に広げられた靴下のそれにより達成される締付けを外すために、つかみ部分１０及び１１は、弾性フック１３が再び係止切り欠き１４内に係止されるまで、すでに述べたように互いに引っ張られる。
【００２０】
スタンド１に靴下を脱ぐための補助具も与えるために、長手桁２は、締付け金具３から離れた方の側にＵ形の結合金具１６によって結合されており、この結合金具１６は、中央において下方に向けられた連行体１７を有する。この連行体１７は、この靴下をそれからかかとを越えて足から脱ぐために、ふくらはぎ側において装着した靴下内に挿入することができる。
【００２１】
図１及び図２の実施例と区別するために、図３による実施例によれば、締付け装置は開きばね１８によって作用を受けており、これらの開きばねは、中空長手桁２内に配置されており、かつ図３から明らかなように、緊張金具５が締付け金具３から外れるように、操作棒４に負荷をかけている。締付け装置を操作するために、再び２つのつかみ部分１０及び１１からなるハンドルが使われる。つかみ部分１０は、長手桁２に剛体的に結合されているが、一方つかみ部分１１は、揺動レバー１９を形成しており、この揺動レバーは、関節結合軸２０を介してつかみ部分１０に揺動可能に支持されており、かつリング２１を介してそれぞれの操作棒４に結合されており、このリングを揺動レバー１９が通り抜ける。開きばね１８を介して下方に揺動したストッパ位置に引っ張られた揺動レバー１９は、つかみ部分１１を介してつかみ部分１０に向かって上方に揺動することができ、その結果、緊張金具５を締付け金具３に向かって締付けて押付ける作用によって、長手桁２内に操作棒４を引込むことになる。したがって緊張金具５にわたって引っ張られる靴下は、緊張金具５と締付け金具３との間に固定締付けされ、かつ長手桁２の間に差込まれた足にわたって装置によって簡単に装着することができる。
【００２２】
靴下を脱ぐために締付け金具３に、下方に向けられた連行体１７の形の脱がせ補助具を設けることができ、この連行体は、ふくらはぎ側において靴下内に挿入することができるので、靴下は、スタンド１を相応して案内すれば、かかとを越えて足から脱がされる。
【図面の簡単な説明】
【００２３】
【図１】長手桁に対して横向きの断面において本発明による装置を示す図である。
【図２】図１の線ＩＩ−ＩＩに沿った断面図である。
【図３】長手断面において本発明による装置の構造変形を示す図である。
【符号の説明】
【００２４】
１    スタンド
２    長手桁
３    締付け金具
４    操作棒
５    緊張金具
８    閉鎖ばね
９    端部区間
１０  つかみ部分
１１  つかみ部分
１２  係止装置
１３  弾性フック
１４  係止切り欠き
１６  結合金具
１７  連行体
【国際公開パンフレット】
2004520921.tif 000003
2004520921.tif 000004
2004520921.tif 000005
2004520921.tif 000006
2004520921.tif 000007
2004520921.tif 000008
2004520921.tif 000009
2004520921.tif 000010
2004520921.tif 000011
2004520921.tif 000012
2004520921.tif 000013
2004520921.tif 000014
2004520921.tif 000015
2004520921.tif 000016
2004520921.tif 000017
【国際調査報告】
2004520921.tif 000018
2004520921.tif 000019
2004520921.tif 000020
2004520921.tif 000021